(57)【要約】【課題】  給水湯管の設置を自由度の高い設計に基づいて行えるとともに、給水湯管を確実に固定することにより、止水部材に水が溜まることのない給水湯管の支持構造を提供すること。【解決手段】  洗い場側フロア１６に設けられた穴部１６ａに給湯管２３と給水管２４とを通し、給湯管２３と給水管２４との外周面と穴部１６ａの周縁部との間をカバー部材２６で塞いだ。その状態で、給湯管２３と給水管２４とを洗い場側フロア１６上に起立させて板状の固定金具２８の基部を壁面部１６ｃに固定するとともに、固定金具２８の先端側に給湯管２３と給水管２４とを固定することにより、給湯管２３と給水管２４とを壁面部１６ｃに固定した。【選択図】  図４
2006152556.tif 000002
【特許請求の範囲】
【請求項１】
床面部に設けられた穴部に給水湯管を通し、前記穴部の周縁部と前記給水湯管の外周部との間を止水部材で塞いだ状態で前記給水湯管を前記床面部上に起立させて支持する給水湯管の支持構造であって、
前記給水湯管における前記床面部の上面側に位置する部分を、剛性を有する給水湯管保持用部材を介して基部に固定したことを特徴とする給水湯管の支持構造。
【請求項２】
前記基部が、前記床面部または壁部である請求項１に記載の給水湯管の支持構造。
【請求項３】
前記給水湯管保持用部材を、一端部が前記壁部に固定され他端部が前記給水湯管に固定された板状または棒状の部材で構成した請求項２に記載の給水湯管の支持構造。
【請求項４】
前記給水湯管保持用部材を、前記床面部の上面に設置され、前記給水湯管を挿通させる挿通穴部と、前記挿通穴部の周縁部から前記挿通穴部の中央側の斜め上方に向かって延びて先端部が前記給水湯管の周面に接触することにより前記給水湯管が下降することを防止する複数の下降防止片とを備えた台状部材で構成した請求項２に記載の給水湯管の支持構造。
【請求項５】
前記給水湯管保持用部材を、前記床面部の上面に設置され、前記給水湯管を挿通させる挿通穴部を備えた台状部材と、前記給水湯管における前記挿通穴部の周縁部の上面に位置する部分に固定され、前記挿通穴部の周縁部上面に接触することにより前記給水湯管が下降することを防止する下降防止具とで構成した請求項２に記載の給水湯管の支持構造。
【発明の詳細な説明】
【技術分野】
【０００１】
本発明は、床面部に設けられた穴部を挿通して給水湯管を床面部上で起立させた状態で支持する給水湯管の支持構造に関する。
【背景技術】
【０００２】
従来から、浴室、トイレ、洗面所、台所等の家屋内の各場所に設けられる水栓等には、水道管や給湯機等からの給水湯管が接続されており、給水湯管は床面部に設けられた穴部を通過して所定の場所まで延びている。この給水湯管としては、樹脂管や銅鋼管等が使用されている。
【０００３】
そして、給水湯管における床面部の穴部に位置する部分は、穴部の周縁部との間に止水部材が設けられて水漏れが防止された状態で、床面部上で起立した姿勢に固定されている。このように給水湯管を起立姿勢にした状態での固定と床面部に設けた穴部と給水湯管との間の止水を行える給水湯管の支持構造として、各種の固定用部材やシール部材を用いたものがある（例えば、特許文献１参照）。
【０００４】
この給水湯管の支持構造では、床面部に設けた穴部の周縁部に取り付け可能な開口部と、給水湯管を挿通させるための挿通路形成部とを備えた樹脂フィルムからなるカバー部材が用いられている。そして、カバー部材の開口部を床面部の穴部の周縁部に取り付けるとともに、穴部を通る給水湯管を挿通路形成部に挿通させ、給水湯管と挿通路形成部とをビニールテープで固定することにより床面部と給水湯管との間を止水している。
【特許文献１】特開２００４−１００１６３号公報
【発明の開示】
【０００５】
しかしながら、前述した従来の給水湯管の支持構造では、設置位置の自由度を確保するためカバー部材が軟質材料で構成されており、給水湯管の水平方向の振れや上下方向の移動を防止することができない。このため、配管工事などで給水湯管が引っ張られてカバー部材に凹みが生じた場合には、その凹みに水が溜まることがあり、これが悪臭や害虫を発生させる原因になるという問題もある。
【０００６】
本発明は、前述した問題に対処するためになされたもので、その目的は、給水湯管の設置位置にある程度の自由度を持たせることができるとともに、給水湯管を確実に固定することにより、止水部材に水が溜まることのない給水湯管の支持構造を提供することである。
【０００７】
前述した目的を達成するため、本発明に係る給水湯管の支持構造の構成上の特徴は、床面部に設けられた穴部に給水湯管を通し、穴部の周縁部と給水湯管の外周部との間を止水部材で塞いだ状態で給水湯管を床面部上に起立させて支持する給水湯管の支持構造であって、給水湯管における床面部の上面側に位置する部分を、剛性を有する給水湯管保持用部材を介して基部に固定したことにある。
【０００８】
このように構成した本発明に係る給水湯管の支持構造では、床面部に設けた穴部に通した給水湯管を、剛性を有する給水湯管保持部材を用いて床面の上面側に位置する基部に固定するようにしている。この場合、給水湯管を床面部の穴部に通し、給水湯管と床面部の穴部との間を止水部材で塞いだのちに、基部に対して固定することができる。このため、止水部材を軟質のカバー部材等で構成すれば、給水湯管を床面部の穴部に設置する際に、設置位置にある程度の自由度を持たせることができ、設置作業が容易になる。
【０００９】
しかも、給水湯管保持用部材が剛性を備えているため、給水湯管は固定されたのちには、殆ど移動できなくなり、例えば、止水部材を軟質のカバー部材で構成しても、カバー部材が凹むといったことが生じなくなる。この結果、水が溜まることによって悪臭や害虫が発生するといったことがなくなる。また、安定した止水性能を維持できる。さらに、給水湯管の固定が床面部の上面側である室内側で行われるため、メンテナンス等の作業がし易くなる。なお、この場合の基部とは、止水構造が必要な床面部が形成された家屋や室内を構成する各部分のうちの静止状態に固定された部分とする。
【００１０】
また、本発明に係る給水湯管の支持構造の他の構成上の特徴は、基部が、床面部または壁部であることにある。これによると、元々給水湯管の近傍に位置する床面部や壁面に給水湯管を固定するため、別途給水湯管を固定するための基部を設ける必要がなくなり、構造が簡単になるとともに、給水湯管の基部への固定作業が容易になる。
【００１１】
本発明に係る給水湯管の支持構造のさらに他の構成上の特徴は、給水湯管保持用部材を、一端部が壁部に固定され他端部が給水湯管に固定された板状または棒状の部材で構成したことにある。これによると、簡単な構造の給水湯管保持部材で給水湯管の固定が行えるため、給水湯管保持部材が安価になるとともに、給水湯管の固定作業が容易になる。
【００１２】
また、本発明に係る給水湯管の支持構造のさらに他の構成上の特徴は、給水湯管保持用部材を、床面部の上面に設置され、給水湯管を挿通させる挿通穴部と、挿通穴部の周縁部から挿通穴部の中央側の斜め上方に向かって延びて先端部が給水湯管の周面に接触することにより給水湯管が下降することを防止する複数の下降防止片とを備えた台状部材で構成したことにある。
【００１３】
この場合の下降防止片は、最初から挿通穴部の中央側の斜め上方に向かって延びるように形成してもよいが、これに限定するものでなく、例えば、挿通穴部に給水湯管を下方から通したときに下降防止片が上方に向かって撓むようにしてもよい。また、下降防止片の給水湯管に接触する先端部の形状は、角部でも直線状でもよく、給水湯管に対する摩擦や給水湯管に食い込む等によって給水湯管が下降することを防止できる形状になっていればよい。また、下降防止片の数は２個以上であればよく、これらを挿通穴部の中央を中心として対称の位置になるように配置することにより、給水湯管の安定した保持が可能になる。
【００１４】
また、台状部材は、板を側面がコ字状になるように折り曲げて台状に形成したり、板の四隅に脚部を設けて台状に形成したりして、それらの上面部に挿通穴部と下降防止片とを設けることにより構成することができる。そして、給水湯管の固定は、所定の位置に配置された給水湯管を挿通穴部に挿通した状態で台状部材を床面部の上面に設置して固定することにより行うことができる。このため、台状部材を給水湯管の設置位置に合わせて設置することができ、給水湯管を無理のない状態で固定することができる。
【００１５】
また、本発明に係る給水湯管の支持構造のさらに他の構成上の特徴は、給水湯管保持用部材を、床面部の上面に設置され、給水湯管を挿通させる挿通穴部を備えた台状部材と、給水湯管における挿通穴部の周縁部の上面に位置する部分に固定され、挿通穴部の周縁部上面に接触することにより給水湯管が下降することを防止する下降防止具とで構成したことにある。
【００１６】
これによると、所定の位置に配置された給水湯管を挿通穴部に挿通した状態で台状部材を床面部の上面に設置して固定し、給水湯管の所定部分に下降防止具を取り付けるだけで済むため、給水湯管の固定が容易になる。また、この場合、給水湯管に固定された下降防止具が床面部の上面に位置するため、給水湯管が上方に移動することはできるが、給水湯管が上方に引っ張られることは殆ど生じない。また、仮に給水湯管が上方に移動したとしても、止水部材は引っ張られるだけで凹みが生じることがないため止水部材に水が溜まったりすることはない。さらに、下降防止具としては、締付けが可能なリング状の部材や、給水湯管の周面部に取り付けることができる突起を備えた部材等で構成することができる。
【発明を実施するための最良の形態】
【００１７】
（第１実施形態）
以下、本発明の第１実施形態を図面を用いて説明する。図１は、同実施形態に係る給水湯管の支持構造を備えた浴室１０を示している。この浴室１０では、浴室１０内と屋外とを仕切る外側壁パネル１１に窓１１ａが設けられており、床面部における窓１１ａ側部分に浴槽１２が設けられている。そして、浴槽１２の左右（図１では前後）の側面は、左壁パネル（図示せず）と右壁パネル１３ａとで挟まれている。また、外側壁パネル１１に対向する部分には、出入用のドア（図示せず）を有する内側壁パネル１３ｂが設けられ、天井部は略ドーム状の天井パネル１４で構成されている。
【００１８】
浴槽１２は、図２に示すように、浴槽側フロア１５の上面に設置されている。そして、浴槽側フロア１５の長手方向に沿った一方の縁部には、本発明の床面部としての洗い場側フロア１６が接続されている。また、洗い場側フロア１６の上面における右壁パネル１３ａに沿った部分にカウンター１７が設けられ、カウンター１７の上方の壁面に鏡１８や収容棚１９等が設けられている。カウンター１７は、浴槽１２の上面部１２ａと略等しい高さに設けられている。
【００１９】
これらの浴室１０を構成する浴槽１２、浴槽側フロア１５および洗い場側フロア１６等の各部分の本体部分は、それぞれ樹脂の成形体で構成されている。また、浴槽１２の上面部１２ａにおけるカウンター１７側の角部には、浴槽１２内に湯や水を取り出すための水栓２１が設けられ、カウンター１７の上方の壁面における鏡１８の下方には、カウンター１７で使う湯や水を取り出すための水栓２２が設けられている。
【００２０】
そして、洗い場側フロア１６におけるカウンター１７の下方部分には、水栓２１，２２に湯や水を供給するための本発明の給水湯管としての給湯管２３および給水管２４を支持する給水湯管の支持構造２０が設けられている。給湯管２３および給水管２４は、ともに可撓性を有する樹脂製の管で構成されている。
【００２１】
給湯管２３および給水管２４は、洗い場側フロア１６に設けられた穴部（図３参照）１６ａを通って洗い場側フロア１６の下方から上方に突出している。そして、給湯管２３は洗い場側フロア１６の上方で三方に分岐したＴ型継手２５ａの一方（下方）の開口に接続されている。また、Ｔ型継手２５ａにおける他の２個の開口には、それぞれ分岐給湯管２３ａ，２３ｂが接続され、分岐給湯管２３ａの先端部が水栓２１に接続され、分岐給湯管２３ｂの先端部が水栓２２に接続されている。
【００２２】
また、給水管２４も同様に三方に分岐したＴ型継手２５ｂを介して分岐給水管２４ａ，２４ｂに接続されている。そして、分岐給水管２４ａの先端部が水栓２１に接続され、分岐給水管２４ｂの先端部が水栓２２に接続されている。水栓２１，２２にはそれぞれ湯を取り出すための操作部と水を取り出すための操作部とが備わっており、取り出す湯や水に応じて対応する操作部を操作することにより任意の湯や水を取り出すことができる。
【００２３】
給水湯管の支持構造２０は、図３および図４に示したように構成されている。この給水湯管の支持構造２０は、洗い場側フロア１６の穴部１６ａの周囲に形成された台状の取付部１６ｂに固定された本発明の止水部材としてのゴム製のカバー部材２６を備えている。このカバー部材２６の上面には、給湯管２３や給水管２４を挿通するための上下２段からなる円筒状の挿通部２６ａが間隔を保って複数個形成されており、周縁部には取付部１６ｂの外周面に係合可能な環状係合部２６ｂが形成されている。そして、取付部１６ｂの外周面に係合した環状係合部２６ｂの外周面を金属バンド２７ａで締め付けられることによってカバー部材２６は取付部１６ｂに固定されている。
【００２４】
また、カバー部材２６の所定の２個の挿通部２６ａには、それぞれ給湯管２３と給水管２４が挿通され、その外周面を金属バンド２７ｂで締め付けることによって、挿通部２６ａは対応する給湯管２３および給水管２４に固定されている。そして、給湯管２３および給水管２４におけるカバー部材２６の上方に位置する部分が、本発明の給水湯管保持用部材としての固定金具２８とプラスチックからなる２個の締付けバンド２９によって、洗い場側フロア１６の壁面部１６ｃに固定されている。
【００２５】
固定金具２８は、基端側部分が折り曲げられた略Ｌ形の剛性を備えた金属板で構成され、先端側部分に４個の穴部２８ａが長手方向に沿って形成されている。この固定金具２８は、基端部側の２個の穴部２８ａ間に給湯管２３が位置し、先端側の２個の穴部２８ａ間に給水管２４が位置するようにして、折り曲げられた基端側部分を壁面部１６ｃの所定部分に位置決めされている。そして、基端部側部分を２個のねじ２８ｂによって壁面部１６ｃに固定することにより、固定金具２８は固定されている。
【００２６】
また、締付けバンド２９は、それぞれ先端部を所定の穴部２８ａに、固定金具２８における給湯管２３と給水管２４が位置する面側（図４における表面側）から裏面側に通し、その先端部を隣の穴部２８ａに、裏面側から表面側に向けて通して、表面側で両端を締付けることにより、給湯管２３と給水管２４を固定金具２８に固定している。このため、給湯管２３と給水管２４とは、起立した姿勢で、固定金具２８を介して壁面部１６ｃに固定されている。
【００２７】
また、カバー部材２６に凹みが生じることがないため、給湯管２３や給水管２４の湯や水が漏れてカバー部材２６の上面に溜まることも防止される。さらに、給水湯管の支持構造２０や、その近傍部分を点検したり修理したりする際には、カウンター１７のエプロン（前面のパネル）を取り外し、カウンター１７の下部に手を延ばすことにより作業を容易に行うことができる。
【００２８】
このように、本実施形態に係る給水湯管の支持構造２０では、給湯管２３と給水管２４を、固定金具２８で壁面部１６ｃに固定している。そして、この固定金具２８は剛性を備えているため、給湯管２３と給水管２４は壁面部１６ｃに固定されたのちには、殆ど移動しなくなる。このため、配管工事などの際に引っ張られたとしてもカバー部材２６に凹みが生じてその凹みに水が溜まるといったことがなく、この結果、悪臭や害虫が発生するといったことがなくなる。また、カバー部材２６が引っ張られて破損したり外れたりするといったことが生じないため、安定した止水性能を維持できる。
【００２９】
また、給湯管２３と給水管２４とを固定する際には、給湯管２３と給水管２４とを、複数の挿通部２６ａのうちから適切な位置にある挿通部２６ａを選択して挿通し、金属バンド２７ｂで締め付けることによって、給湯管２３および給水管２４と取付部１６ｂとの間をカバー部材２６で塞いだのちに、固定金具２８等を用いて壁面部１６ｃに固定することができる。このため、給湯管２３と給水管２４とを挿通部２６ａの穴部に設置する際には、設置位置にある程度の自由度を持たせることができ、設置作業が容易になる。
【００３０】
さらに、給湯管２３と給水管２４の固定が洗い場側フロア１６の上面側で行われているため、メンテナンス等の作業がし易くなる。また、給湯管２３と給水管２４とが、固定金具２８等を介して、洗い場側フロア１６の壁面部１６ｃに固定されているため、別途給湯管２３と給水管２４を固定するための基部を設ける必要がなくなり、給水湯管の支持構造２０の構造が簡単になるとともに、給湯管２３と給水管２４との固定作業が容易になる。さらに、固定金具２８が金属板で構成されているため安価になる。
【００３１】
（第２実施形態）
図５は、本発明の第２実施形態に係る給水湯管の支持構造３０を示している。この給水湯管の支持構造３０では、台状部材３１を用いて給湯管２３と給水管２４とを支持している。台状部材３１は、長方形の金属板の両側部分を下方に折り曲げることにより上面部３２と側面部３３ａ，３３ｂとを備えた台状に形成されているとともに、側面部３３ａ，３３ｂの下端部が上面部３２と平行となるように外側に折り曲げられた固定部３４ａ，３４ｂに形成されている。そして、固定部３４ａ，３４ｂをねじ３５で洗い場側フロア１６に固定することにより、台状部材３１は洗い場側フロア１６上に設置されている。
【００３２】
また、台状部材３１の上面部３２には、４個の挿通穴部３６が間隔を保って形成されており、その挿通穴部３６の周縁部には、略三角形の下降防止片３６ａが円周に沿って複数個形成されている。この４個の挿通穴部３６のうちの所定の２個の挿通穴部３６の一方には、給湯管２３が挿通し、他方の挿通穴部３６には給水管２４が挿通している。この挿通穴部３６には、給湯管２３および給水管２４が下方から上方に突き抜けるように挿通され、その際、各下降防止片３６ａの先端部は、図６に示したように、斜め上方に付勢される。この各下降防止片３６ａの先端部との接触によって、給湯管２３および給水管２４（図６では給湯管２３のみを示している。）は、下方に移動することを防止される。
【００３３】
また、給湯管２３および給水管２４と洗い場側フロア１６との間は、挿通部３７によって密閉されている。なお、この給水湯管の支持構造３０においても、挿通部３７は、前述した給水湯管の支持構造２０のカバー部材２６と同様のカバー部材に設けられているが、図５では、カバー部材の本体部分を省略している。また、図５では、洗い場側フロア１６の取付部１６ｂや穴部１６ａも省略している。この給水湯管の支持構造３０のそれ以外の部分の構成については、前述した給水湯管の支持構造２０と同一である。
【００３４】
このように構成したため、給湯管２３と給水管２４に下方に向う力が掛かっても、給湯管２３と給水管２４は、下降防止片３６ａによって下降することを防止される。また、挿通穴部３６と下降防止片３６ａとは洗い場側フロア１６上に設置された台状部材３１に設けられ、台状部材３１は下方に押さえ付けられる力に対して強く構成されているため、給湯管２３と給水管２４の下方への移動を確実に防止することができる。また、下降防止片３６ａが給湯管２３と給水管２４との周面に沿って接触するため、給湯管２３と給水管２４の安定した保持が可能になる。この給水湯管の支持構造３０のそれ以外の作用効果については、前述した給水湯管の支持構造２０と同様である。
【００３５】
（第３実施形態）
図７は、本発明の第３実施形態に係る給水湯管の支持構造４０を示している。この給水湯管の支持構造４０では、台状部材３１と同様の台状部材の上面部４２に、４個の挿通穴部４６（１個しか図示せず。）が間隔を保って形成されており、そのうちの１個の挿通穴部４６に、給湯管２３が挿通し、他の１個の挿通穴部４６には給水管２４（図示せず）が挿通している。
【００３６】
そして、給湯管２３（および給水管２４）における上面部４２の上面に位置する部分に締付け金具からなる下降防止具４７が固定されている。この下降防止具４７の下面が上面部４２の上面に当接することによって、給湯管２３（および給水管２４）は、下方に移動することを防止されている。この給水湯管の支持構造４０のそれ以外の部分の構成については、前述した給水湯管の支持構造３０と同一である。このように構成したため、給湯管２３および給水管２４の支持が極めて簡単に行える。この給水湯管の支持構造４０のそれ以外の作用効果については、前述した給水湯管の支持構造３０と同様である。
【００３７】
また、本発明に係る給水湯管の支持構造は、前述した各実施形態以外についても技術的範囲内で適宜変更実施が可能である。例えば、前述した各実施形態では、給湯管２３および給水管２４を固定するための基部を壁面部１６ｃや洗い場側フロア１６としているが、この基部としては、壁面部１６ｃや洗い場側フロア１６以外の部分でもよく、壁面部１６ｃや洗い場側フロア１６に固定用の部材を設けてこれを基部とすることもできる。
【００３８】
また、第１実施形態における板状の固定金具２８に換えて棒状の固定金具を用いてもよい。また、固定金具２８に換えて、剛性を備えたものであれば金属以外の材料からなるものを用いてもよい。さらに、第２実施形態における下降防止片３６ａの形状は、三角形に限らず、給湯管２３および給水管２４に対する摩擦や、食い込み等によって給湯管２３および給水管２４が下降することを防止できる形状になっていればよい。
【００３９】
さらに、給水湯管の支持構造２０等を構成する各部材の材料や構造についても適宜変更実施が可能である。また、前述した実施形態では、給水湯管の支持構造２０等を浴室１０で使用しているが、本発明に係る給水湯管の支持構造は、浴室に限らず、トイレ、洗面所、台所等の湯や水を使用する種々の場所で使用することができる。
【図面の簡単な説明】
【００４０】
【図１】本発明の第１実施形態に係る給水湯管の支持構造を備えた浴室を示した斜視図である。
【図２】給水湯管の支持構造が取り付けられた浴槽とカウンターとを示した断面図である。
【図３】給水湯管の支持構造を示した断面図である。
【図４】給水湯管の支持構造を示した斜視図である。
【図５】本発明の第２実施形態に係る給水湯管の支持構造の斜視図である。
【図６】給湯管が下降防止片に支持された状態の要部を示した断面図である。
【図７】本発明の第３実施形態に係る給水湯管の支持構造の要部を示した断面図である。
【符号の説明】
【００４１】
１０…浴室、１６…洗い場側フロア、１６ａ…穴部、１６ｃ…壁面部、２０，３０，４０…給水湯管の支持構造、２３…給湯管、２４…給水管、２６…カバー部材、２６ａ，３７…挿通部、２８…固定金具、２９…締付けバンド、３１…台状部材、３２，４２…上面部、３６，４６…挿通穴部、３６ａ…下降防止片、４７…下降防止具。
【図１】
2006152556.tif 000003
【図２】
2006152556.tif 000004
【図３】
2006152556.tif 000005
【図４】
2006152556.tif 000006
【図５】
2006152556.tif 000007
【図６】
2006152556.tif 000008
【図７】
2006152556.tif 000009